(57)【特許請求の範囲】
【請求項１】
外気が通過する送風機室（４１）を有するケーシング（４０）と、
前記送風機室に設置され、外気との間で熱交換を行う室外熱交換器（３３）と、
前記送風機室に設置され、前記室外熱交換器に外気を送風する室外ファン（３９，３９Ｂ）と、
前記室外ファンの下流に形成され、前記室外ファンが送風する一部の空気の向きを変えるガイド構造（５６ｂ，５６Ａｂ，５６Ｂｂ，５６Ｃｂ，５６Ｄｂ）と、
外気から吸湿する吸湿部（６１）と、放湿して空気を加湿する放湿部（６２）と、前記吸湿部に供給される外気の吸気口（６８ａ）及び排気口（６９）とを有し、前記室外ファン周囲の負圧空間に面して前記排気口が配置され、前記室外ファンの下流の前記ガイド構造で向きを変えた空気が前記吸気口から前記吸湿部を経由して前記排気口に抜けるように構成されている加湿ユニット（６０）と、
を備える、空気調和装置の室外機。
【請求項２】
前記吸気口から吸気される全ての空気が前記室外ファンを経由して前記ガイド構造（５６ｂ，５６Ｂｂ，５６Ｃｂ，５６Ｄｂ）に沿って導かれた空気である、
請求項1に記載の空気調和装置の室外機。
【請求項３】
前記加湿ユニットは、前記吸気口で、前記ガイド構造に沿う第１経路（ｒ１）で導かれる空気と前記第１経路と異なる第２経路（ｒ４）で導かれる空気とを合わせて吸気する、請求項１に記載の空気調和装置の室外機。
【請求項４】
前記ケーシングは、前記室外ファンにより送風される外気が吹き出される吹出口を有する前板（４６，４６Ｂ）を備え、
前記ガイド構造は、前記吹出口の一部を覆うように前記前板に取り付けられている、
請求項１から３のいずれか一項に記載の空気調和装置の室外機。
【請求項５】
外気が通過する送風機室（４１）を有するケーシング（４０）と、
前記送風機室に設置され、外気との間で熱交換を行う室外熱交換器（３３）と、
前記送風機室に設置され、前記室外熱交換器に外気を送風する室外ファン（３９，３９Ｂ）と、
前記室外ファンが送風する一部の空気の向きを変えるガイド構造（５６ｂ，５６Ａｂ，５６Ｂｂ，５６Ｃｂ，５６Ｄｂ）と、
外気から吸湿する吸湿部（６１）と、放湿して空気を加湿する放湿部（６２）と、前記吸湿部に供給される外気の吸気口（６８ａ）及び排気口（６９）とを有し、前記室外ファン周囲の負圧空間に面して前記排気口が配置され、前記ガイド構造で向きを変えた空気が前記吸気口から前記吸湿部を経由して前記排気口に抜けるように構成されている加湿ユニット（６０）と、
を備え、
前記ケーシングは、前記室外ファンにより送風される外気が吹き出される吹出口を有する前板（４６，４６Ｂ）を備え、
前記ガイド構造は、前記吹出口の一部を覆うように前記前板に取り付けられ、
前記ケーシングは、前記前板に取り付けられ、前記前板の吹出口を覆うグリル（５６，５６Ａｂ，５６Ｂｂ，５６Ｃｂ，５６Ｄｂ）をさらに有し、
前記ガイド構造は、前記グリルに形成されている、空気調和装置の室外機。
【請求項６】
外気が通過する送風機室（４１）を有するケーシング（４０）と、
前記送風機室に設置され、外気との間で熱交換を行う室外熱交換器（３３）と、
前記送風機室に設置され、前記室外熱交換器に外気を送風する室外ファン（３９，３９Ｂ）と、
前記室外ファンが送風する一部の空気の向きを変えるガイド構造（５６ｂ，５６Ａｂ，５６Ｂｂ，５６Ｃｂ，５６Ｄｂ）と、
外気から吸湿する吸湿部（６１）と、放湿して空気を加湿する放湿部（６２）と、前記吸湿部に供給される外気の吸気口（６８ａ）及び排気口（６９）とを有し、前記室外ファン周囲の負圧空間に面して前記排気口が配置され、前記ガイド構造で向きを変えた空気が前記吸気口から前記吸湿部を経由して前記排気口に抜けるように構成されている加湿ユニット（６０）と、
を備え、
前記ケーシングは、前記室外ファンにより送風される外気が吹き出される吹出口を有する前板（４６，４６Ｂ）を備え、
前記ガイド構造は、前記吹出口の一部を覆うように前記前板に取り付けられ、
前記ガイド構造（５６Ｂｂ）と前記前板（５６Ｂ）との間に配置されて前記ガイド構造と前記前板に挟まれた空間を仕切ることにより、前記吹出口（４４）から前記吸気口（６８ａ）に向かう空気の流れを囲むチャネルを形成するための仕切部材（５６ｒ）をさらに備える、空気調和装置の室外機。
【請求項７】
前記仕切部材は、前記室外ファンの回転方向に延びている、
請求項６に記載の空気調和装置の室外機。
【請求項８】
外気が通過する送風機室（４１）を有するケーシング（４０）と、
前記送風機室に設置され、外気との間で熱交換を行う室外熱交換器（３３）と、
前記送風機室に設置され、前記室外熱交換器に外気を送風する室外ファン（３９，３９Ｂ）と、
前記室外ファンが送風する一部の空気の向きを変えるガイド構造（５６ｂ，５６Ａｂ，５６Ｂｂ，５６Ｃｂ，５６Ｄｂ）と、
外気から吸湿する吸湿部（６１）と、放湿して空気を加湿する放湿部（６２）と、前記吸湿部に供給される外気の吸気口（６８ａ）及び排気口（６９）とを有し、前記室外ファン周囲の負圧空間に面して前記排気口が配置され、前記ガイド構造で向きを変えた空気が前記吸気口から前記吸湿部を経由して前記排気口に抜けるように構成されている加湿ユニット（６０）と、
を備え、
前記ケーシングは、前記室外ファンにより送風される外気が吹き出される吹出口を有する前板（４６，４６Ｂ）を備え、
前記ガイド構造は、前記吹出口の一部を覆うように前記前板に取り付けられ、
前記ガイド構造（５６Ｃｂ）は、前記室外ファンの回転中心に近い端部近傍に前記吸気口から前記吹出口の方向に向かう空気の流れを妨げるバッフル部材（５６ｔ）を有する、空気調和装置の室外機。
【請求項９】
外気が通過する送風機室（４１）を有するケーシング（４０）と、
前記送風機室に設置され、外気との間で熱交換を行う室外熱交換器（３３）と、
前記送風機室に設置され、前記室外熱交換器に外気を送風する室外ファン（３９，３９Ｂ）と、
前記室外ファンが送風する一部の空気の向きを変えるガイド構造（５６ｂ，５６Ａｂ，５６Ｂｂ，５６Ｃｂ，５６Ｄｂ）と、
外気から吸湿する吸湿部（６１）と、放湿して空気を加湿する放湿部（６２）と、前記吸湿部に供給される外気の吸気口（６８ａ）及び排気口（６９）とを有し、前記室外ファン周囲の負圧空間に面して前記排気口が配置され、前記ガイド構造で向きを変えた空気が前記吸気口から前記吸湿部を経由して前記排気口に抜けるように構成されている加湿ユニット（６０）と、
を備え、
前記ケーシングは、前記室外ファンにより送風される外気が吹き出される吹出口を有する前板（４６，４６Ｂ）を備え、
前記ガイド構造は、前記吹出口の一部を覆うように前記前板に取り付けられ、
前記ガイド構造（５６Ｄｂ）と前記前板との間に配置されかつ前記吹出口から前記吸気口に向かって延びる整流部材（５６ｕ）をさらに備える、空気調和装置の室外機。
【請求項１０】
外気が通過する送風機室（４１）を有するケーシング（４０）と、
前記送風機室に設置され、外気との間で熱交換を行う室外熱交換器（３３）と、
前記送風機室に設置され、前記室外熱交換器に外気を送風する室外ファン（３９，３９Ｂ）と、
前記室外ファンが送風する一部の空気の向きを変えるガイド構造（５６ｂ，５６Ａｂ，５６Ｂｂ，５６Ｃｂ，５６Ｄｂ）と、
外気から吸湿する吸湿部（６１）と、放湿して空気を加湿する放湿部（６２）と、前記吸湿部に供給される外気の吸気口（６８ａ）及び排気口（６９）とを有し、前記室外ファン周囲の負圧空間に面して前記排気口が配置され、前記ガイド構造で向きを変えた空気が前記吸気口から前記吸湿部を経由して前記排気口に抜けるように構成されている加湿ユニット（６０）と、
を備え、
前記加湿ユニットは、前記室外ファンの上方に配置されている、前記吸気口から前記吸湿部に外気を導くための吸湿用ダクト（６８）をさらに有し、側面視において前記吸湿用ダクトが下方に向けて湾曲している、空気調和装置の室外機。
【発明の詳細な説明】
【技術分野】
【０００１】
本発明は、加湿ユニットを有する空気調和装置の室外機に関する。
【背景技術】
【０００２】
加湿機能を有する従来の空気調和装置の中には、空気調和装置の室外機と加湿ユニット（又は加湿装置）とが一体化されたタイプのものがある。このような空気調和装置は、例えば、特許文献１（特開２００４−３５３８９８号公報）や特許文献２（特開２００８−２４１２１２号公報）に記載されているように、仕切板によって室外機が上下に仕切られている。そして、これら特許文献１や特許文献２に記載されている室外機においては、加湿ユニットが仕切板の上方に設置され、熱交換器や熱交換器に送風するファンが仕切板の下方に配置されている。
【０００３】
このような加湿機能を有する室外機のダウンサイジングを図るため、特許文献１や特許文献２に記載の空気調和装置では、加湿ユニットの加湿ロータ（吸着回転体やデシカントローター）が水平に設置されている。
【発明の概要】
【発明が解決しようとする課題】
【０００４】
しかし、このような構成でも室外機のダウンサイジングが十分ではなく、また室外機のコンパクト化のために加湿ユニットの小型化を図ろうとすると、加湿ユニットの加湿性能が低下する傾向がある。
【０００５】
本発明の課題は、加湿機能を有する室外機において、加湿性能の低下を防止しつつ室外機のダウンサイジングを図ることにある。
【課題を解決するための手段】
【０００６】
本発明の第１観点に係る空気調和装置の室外機は、外気が通過する送風機室を有するケーシングと、送風機室に設置され、外気との間で熱交換を行う室外熱交換器と、送風機室に設置され、室外熱交換器に外気を送風する室外ファンと、室外ファンの下流に形成され、室外ファンが送風する一部の空気の向きを変えるガイド構造と、外気から吸湿する吸湿部と、放湿して空気を加湿する放湿部と、吸湿部に供給される外気の吸気口及び排気口とを有し、室外ファン周囲の負圧空間に面して排気口が配置され、室外ファンの下流のガイド構造で向きを変えた空気が吸気口から吸湿部を経由して排気口に抜けるように構成されている加湿ユニットと、を備える。
【０００７】
第１観点に係る室外機によれば、加湿ユニットは、室外ファン周囲の負圧空間に面して排気口が配置され、ガイド構造で向きを変えた空気が吸気口から吸湿部を経由して排気口に抜けるように構成されている。このように、室外ファン周囲の負圧空間と室外ファンによる気流がガイド構造とによって加湿ユニットの吸湿部に効率良く導かれるため、室外ファンにより外気を効率よく吸湿部に導くことができ、吸湿機能が向上する。そのため、吸湿部に外気を導くために従来設けられていた専用ファンや駆動モータを小型化でき、或いは省くことができる。その結果、加湿ユニットのダウンサイジングを図ることができる。
【０００８】
本発明の第２観点に係る空気調和装置の室外機は、第１観点に係る室外機において、加湿ユニットは、吸気口で、室外ファンを経由してガイド構造に沿って導かれた空気のみを吸気する。
【０００９】
第２観点の室外機によれば、室外ファンを経由してガイド構造に沿って導かれた空気のみを吸気口で吸気するので、室外ファンによって発生する気流を十分に利用して外気を効率よく吸気口に導くことができる。
【００１０】
本発明の第３観点に係る空気調和装置の室外機は、第１観点に係る室外機において、加湿ユニットは、吸気口で、ガイド構造に沿う第１経路で導かれる空気と第１経路と異なる第２経路で導かれる空気とを合わせて吸気する。
【００１１】
第３観点の室外機によれば、ガイド構造に沿って流れる空気を第２経路で導かれる空気を呼び込むために用いることができ、第２経路を使うことで第１経路の空気よりも湿度の高い空気を吸湿部に導入し易くなる。
【００１２】
本発明の第４観点に係る空気調和装置の室外機は、第１観点から第３観点のいずれかの室外機において、ケーシングは、室外ファンにより送風される外気が吹き出される吹出口を有する前板を備え、ガイド構造は、吹出口の一部を覆うように前板に取り付けられている。
【００１３】
第４観点の室外機によれば、ガイド構造が前板に取り付けられているので、ガイド構造の取り付けが簡単になる。
【００１４】
本発明の第５観点に係る空気調和装置の室外機は、外気が通過する送風機室を有するケーシングと、送風機室に設置され、外気との間で熱交換を行う室外熱交換器と、送風機室に設置され、室外熱交換器に外気を送風する室外ファンと、室外ファンが送風する一部の空気の向きを変えるガイド構造と、外気から吸湿する吸湿部と、放湿して空気を加湿する放湿部と、吸湿部に供給される外気の吸気口及び排気口とを有し、室外ファン周囲の負圧空間に面して排気口が配置され、ガイド構造で向きを変えた空気が吸気口から吸湿部を経由して排気口に抜けるように構成されている加湿ユニットと、を備え、ケーシングは、室外ファンにより送風される外気が吹き出される吹出口を有する前板を備え、ガイド構造は、吹出口の一部を覆うように前板に取り付けられ、ケーシングは、前板に取り付けられ、前板の吹出口を覆うグリルをさらに有し、ガイド構造は、グリルに形成されている。
【００１５】
第５観点の室外機によれば、ガイド構造がグリルに形成されているので、グリルの形成時にガイド構造を形成することができる。
【００１６】
本発明の第６観点に係る空気調和装置の室外機は、外気が通過する送風機室を有するケーシングと、送風機室に設置され、外気との間で熱交換を行う室外熱交換器と、送風機室に設置され、室外熱交換器に外気を送風する室外ファンと、室外ファンが送風する一部の空気の向きを変えるガイド構造と、外気から吸湿する吸湿部と、放湿して空気を加湿する放湿部と、吸湿部に供給される外気の吸気口及び排気口とを有し、室外ファン周囲の負圧空間に面して排気口が配置され、ガイド構造で向きを変えた空気が吸気口から吸湿部を経由して排気口に抜けるように構成されている加湿ユニットと、を備え、ケーシングは、室外ファンにより送風される外気が吹き出される吹出口を有する前板を備え、ガイド構造は、吹出口の一部を覆うように前板に取り付けられ、ガイド構造と前板との間に配置されてガイド構造と前板に挟まれた空間を仕切ることにより、吹出口から吸気口に向かう空気の流れを囲むチャネルを形成するための仕切部材をさらに備える。
【００１７】
第６観点の室外機によれば、仕切部材を設けることによって形成されるチャネルにより空気の流れが囲まれることから、この通路から外れて吸気口に到達しない空気の流れが削減されるので、吸気口に空気を効率良く送り込むことができる。
【００１８】
本発明の第７観点に係る空気調和装置の室外機は、第６観点の室外機において、仕切部材は、室外ファンの回転方向に延びている。
【００１９】
第７観点の室外機によれば、仕切部材が室外ファンの回転方向に延びていることから、室外ファンから吹出して室外ファンの回転方向に旋回する空気の流れにおいて仕切部材により生じる圧力を小さくすることができる。
【００２０】
本発明の第８観点に係る空気調和装置の室外機は、外気が通過する送風機室を有するケーシングと、送風機室に設置され、外気との間で熱交換を行う室外熱交換器と、送風機室に設置され、室外熱交換器に外気を送風する室外ファンと、室外ファンが送風する一部の空気の向きを変えるガイド構造と、外気から吸湿する吸湿部と、放湿して空気を加湿する放湿部と、吸湿部に供給される外気の吸気口及び排気口とを有し、室外ファン周囲の負圧空間に面して排気口が配置され、ガイド構造で向きを変えた空気が吸気口から吸湿部を経由して排気口に抜けるように構成されている加湿ユニットと、を備え、ケーシングは、室外ファンにより送風される外気が吹き出される吹出口を有する前板を備え、ガイド構造は、吹出口の一部を覆うように前板に取り付けられ、ガイド構造は、室外ファンの回転中心に近い端部近傍に吸気口から吹出口の方向に向かう空気の流れを妨げるバッフル部材を有する。
【００２１】
第８観点の室外機によれば、バッフル部材で吸気口から吹出口の方向に向かう空気の流れを抑制することができるので、バッフル部材がない場合に比べて吸気口に導く空気の量を増やすことができる。
【００２２】
本発明の第９観点に係る空気調和装置の室外機は、外気が通過する送風機室を有するケーシングと、送風機室に設置され、外気との間で熱交換を行う室外熱交換器と、送風機室に設置され、室外熱交換器に外気を送風する室外ファンと、室外ファンが送風する一部の空気の向きを変えるガイド構造と、外気から吸湿する吸湿部と、放湿して空気を加湿する放湿部と、吸湿部に供給される外気の吸気口及び排気口とを有し、室外ファン周囲の負圧空間に面して排気口が配置され、ガイド構造で向きを変えた空気が吸気口から吸湿部を経由して排気口に抜けるように構成されている加湿ユニットと、を備え、ケーシングは、室外ファンにより送風される外気が吹き出される吹出口を有する前板を備え、ガイド構造は、吹出口の一部を覆うように前板に取り付けられ、ガイド構造と前板との間に配置されかつ吹出口から吸気口に向かって滑らかに延びる整流部材をさらに備える。
【００２３】
第９観点の室外機によれば、整流部材に沿って吸気口に向かって空気が流れるため空気の流れが整えられるので、吸気口に向かう空気の流れに起因して生じる音を低く抑えることができる。
【００２４】
本発明の第１０観点に係る空気調和装置の室外機は、外気が通過する送風機室を有するケーシングと、送風機室に設置され、外気との間で熱交換を行う室外熱交換器と、送風機室に設置され、室外熱交換器に外気を送風する室外ファンと、室外ファンが送風する一部の空気の向きを変えるガイド構造と、外気から吸湿する吸湿部と、放湿して空気を加湿する放湿部と、吸湿部に供給される外気の吸気口及び排気口とを有し、室外ファン周囲の負圧空間に面して排気口が配置され、ガイド構造で向きを変えた空気が吸気口から吸湿部を経由して排気口に抜けるように構成されている加湿ユニットと、を備え、加湿ユニットは、室外ファンの上方に配置されている、吸気口から吸湿部に外気を導くための吸湿用ダクトをさらに有し、側面視において吸着用ダクトが下方に向けて湾曲している。
【００２５】
第１０観点の室外機によれば、室外機の下方から上方に向かう室外ファンの送風によって吸湿用ダクトを経由して吸湿部へ外気を導きやすくなる。
【発明の効果】
【００２６】
本発明の第１観点に係る空気調和装置の室外機では、室外ファン周囲の負圧空間と室外ファンによる気流がガイド構造とによって加湿ユニットの吸湿部に効率良く導かれるので、加湿性能の低下を防止しつつ室外機のダウンサイジングを図ることができる。
【００２７】
本発明の第２観点に係る空気調和装置の室外機では、ガイド構造によって外気を効率よく吸気口に導くことができ、外気を吸湿部に導くための他の構造を小型化し易くなる。
【００２８】
本発明の第３観点に係る空気調和装置の室外機では、第２経路を使って第１経路の空気よりも湿度の高い空気を吸湿部に導入すると、加湿性能を向上させることができる。
【００２９】
本発明の第４観点に係る空気調和装置の室外機では、ガイド構造の取り付けが簡単であり、ダウンサイジングされた室外機を安価に提供することができる。
【００３０】
本発明の第５観点に係る空気調和装置の室外機では、ガイド構造を有する室外機を安価に提供できる。
【００３１】
本発明の第６観点に係る空気調和装置の室外機では、仕切部材により十分な空気を吸湿部に供給し易くなり、加湿性能を向上させることができる。
【００３２】
本発明の第７観点に係る空気調和装置の室外機では、吸気口へ導く空気の流れにおいて仕切部材により生じる圧力を小さくすることで、加湿性能を向上させることができる。
【００３３】
本発明の第８観点に係る空気調和装置の室外機では、バッフル部材により十分な空気を吸湿部に供給し易くなり、加湿性能を向上させることができる。
【００３４】
本発明の第９観点に係る空気調和装置の室外機では、整流部材により騒音を抑えることができる。
【００３５】
本発明の第１０観点に係る空気調和装置の室外機では、吸湿部へ供給される外気が増えることによって加湿性能が向上する。
【図面の簡単な説明】
【００３６】
【図１】第１実施形態に係る空気調和装置の構成の概要を示す概念図。
【図２】空気調和装置の室外機の概要を示す回路図。
【図３】グリルや室外熱交換器が取り外された状態の室外機の外観を示す斜視図。
【図４】天板が取外された状態の室外機の平面図。
【図５】前板、天板及び左側板などが取り外されている状態の室外機の外観を示す斜視図。
【図６】図１のＩ−Ｉ線断面図。
【図７】前方右斜め上から見た加湿ユニットの斜視図。
【図８】後方右斜め上から見た加湿ユニットの斜視図。
【図９】加湿ユニット周辺の外気の流れを説明するための室外機の部分拡大断面図。
【図１０】加湿ロータとヒータを示す分解斜視図。
【図１１】加湿ユニットのヒータ周辺の部材の底面図。
【図１２】室外機の加湿ユニット周辺の部分拡大断面図。
【図１３】第２実施形態に係る空気調和装置の室外機の部分拡大断面図。
【図１４】一実施形態の変形例による空気調和装置の室外機の概要を示す回路図。
【図１５】天板が取外された状態の図１４の変形例に係る室外機の上面図。
【図１６】図１に示されている室外機の拡大正面図。
【図１７】第３実施形態に係る空気調和装置の室外機の概要を示す回路図。
【図１８】第３実施形態に係る室外機の拡大正面図。
【図１９】図１８の室外機からグリルや室外熱交換器が取り外された状態の外観を示す斜視図。
【図２０】図１９の室外機から前板及び天板が取り外された状態の外観を示す斜視図。
【図２１】図１８の室外機から室外熱交換器、室外ファン及び保護金網などが取り除かれた状態の外観を示す背面図。
【図２２】第３実施形態に係るグリルの一例を示す背面図。
【図２３】図２２のグリルを背面側の斜め上から見た斜視図。
【図２４】第３実施形態に係る他のグリルを背面斜め上から見た斜視図。
【図２５】第３実施形態に係るグリルの他の例を示す背面図。
【図２６】図２５のグリルを背面側の斜め上から見た斜視図。
【発明を実施するための形態】
【００３７】
以下、図面を参照しながら、本発明の実施形態について説明する。なお、本発明にかかる空気調和装置の室外機の実施形態は、以下に説明する実施形態に限られるものではなく、発明の要旨を逸脱しない範囲で変更可能である。
【００３８】
＜第１実施形態＞
（１）空気調和装置の構成の概要
本発明の第１実施形態に係る空気調和装置１０は、図１に示されているように、室内機２０と室外機３０とが連絡配管１２によって接続されて構成されている。この空気調和装置１０は、冷房運転、暖房運転、除湿運転、加湿運転、給気運転及び排気運転などの複数の運転モードを持っており、これらの運転モードを適宜組み合わせることもできる。
【００３９】
冷房運転や暖房運転においては、室内の空気を冷やしたり温めたりするため、室内機２０及び室外機３０でそれぞれ熱交換が行われ、連絡配管１２を通して室内機２０と室外機３０との間で熱の移動がある。このような熱交換と熱の移動とを行わせるために、例えば空気調和装置１０には図２に示されている冷媒回路が形成される。冷媒回路を形成するため、図２の室内機２０には室内熱交換器２１が設けられ、室外機３０には圧縮機３１、四路切換弁３２、室外熱交換器３３、電動弁３４、フィルタ３５、アキュムレータ３６、液閉鎖弁３７及びガス閉鎖弁３８が設けられている。また、室内機２０と室外機３０とを結ぶ液冷媒配管１４及びガス冷媒配管１６が連絡配管１２の中に通っている。
【００４０】
また、加湿運転、給気運転及び排気運転では、室内に外気を供給したり室内の空気を排出したりするため、連絡配管１２の給気ダクト１８を通して室内機２０と室外機３０との間で空気の移動がある。特に、加湿運転では、水分を多く含んだ湿度の高い空気を室外機３０から室内機２０に供給するため室外機３０において外気から水分を取り込む。そのために、室外機３０には、外気から水分を取り込む機能を持つ加湿ユニット６０が設けられている。
【００４１】
（１−１）冷媒回路の動作
冷媒回路の動作は従来からあるものと変わらないが、図２に示されている冷媒回路の動作について簡単に説明する。
【００４２】
冷房時には、四路切換弁３２が実線の接続になっており、圧縮機３１で圧縮されて吐出された冷媒が四路切換弁３２を介して室外熱交換器３３に送られる。室外熱交換器３３で外気との熱交換が行われて熱を奪われた冷媒は、電動弁３４に送られる。高圧液状の冷媒が電動弁３４で低圧状態に変化する。電動弁３４で膨張した冷媒は、フィルタ３５を介して液閉鎖弁３７及び液冷媒配管１４を通って室内熱交換器２１に入る。室内熱交換器２１で室内空気との熱交換が行われて熱を奪って温度が上昇した冷媒は、ガス冷媒配管１６を通って四路切換弁３２に送られる。四路切換弁３２では、ガス閉鎖弁３８とアキュムレータ３６とが接続されている。そのため、ガス冷媒配管１６を通って室内熱交換器２１から送られてきた冷媒は、アキュムレータ３６を介して圧縮機３１に送られる。
【００４３】
暖房時には、四路切換弁３２が点線の接続になっており、圧縮機３１で圧縮されて吐出された冷媒が室内熱交換器２１に送られる。そして、冷房時とは逆の経路をたどって、室外熱交換器３３を出た冷媒は圧縮機３１に戻ってくる。つまり、圧縮機３１、四路切換弁３２、ガス冷媒配管１６、室内熱交換器２１、液冷媒配管１４、電動弁３４、室外熱交換器３３、四路切換弁３２、アキュムレータ３６及び圧縮機３１の順に冷媒が循環する。
【００４４】
（２）室内機の構成
室内機２０には、室内熱交換器２１の他に、図２に示されているように、モータで駆動される室内ファン２２が室内熱交換器２１の下流側に設けられている。この室内ファン２２はクロスフローファンである。室内ファン２２が駆動されると、図１に示されている室内機２０上部の吸込口２３から吸い込まれた室内空気が、室内熱交換器２１を通過して室内機２０下部の吹出口２４から吹き出される。
【００４５】
また、室内機２０には、給気ダクト１８の給気口２５が、室内熱交換器２１の上流側空間に設けられている。給気ダクト１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内機２０の吹出口２４から吹き出される調和空気の湿度を高くすることができる。例えば、このとき同時に室内熱交換器２１を蒸発器として用いて、室内機２０に、加湿運転と冷房運転を同時に行わせることができる。
【００４６】
（３）室外機の構成
（３−１）室外機の構成の概要
室外機３０は、ケーシング４０と仕切板４３とを備えており、図２に示すように、ケーシング４０の内部空間が仕切板４３によって送風機室４１と機械室４２とに分けられている。言い換えれば、室外機３０では、送風機室４１から機械室４２に風が回り込まないように、送風機室４１と機械室４２とが仕切板４３によって遮蔽されているということである。
【００４７】
室外機３０には、冷媒回路を構成する上述の機器や加湿ユニット６０の他に、図２に示されているように、ファンモータ３９ａによって駆動される室外ファン３９が室外熱交換器３３の下流側に設けられている。この室外ファン３９はプロペラファンであり、ファンモータ３９ａによって駆動されるプロペラ３９ｂを有している。室外ファン３９が駆動されると、室外熱交換器３３の後面側から室外熱交換器３３を通して吸い込まれた外気が、室外機３０の吹出口４４から吹き出される。図１に示すように吹出口４４の前面は、グリル５６で覆われ、室外ファン３９のプロペラ３９ｂが室外機３０の外部にある物と接触しないよう構成されている。このグリル５６は、ケーシング４０の前板４６に取り付けられている。
【００４８】
この室外機３０の送風機室４１には加湿ユニット６０が設けられており、加湿ユニット６０が室外熱交換器３３の前に配置されている。加湿ユニット６０が室外熱交換器３３の前に配置されるということは、室外熱交換器３３を通過する送風経路に加湿ユニット６０の一部が掛かっているということである。このような場所にある加湿ユニット６０には、室外熱交換器３３を通過する送風経路の送風抵抗の増加を抑えるために、後述するような形状と配置位置とが与えられている。
【００４９】
（３−２）ケーシング
図３は、室外機３０の斜視図であり、図１の室外機３０からグリル５６などが取り外された状態を示している。図４は、室外機３０の平面図であり、室外機３０の天板４８が取外された状態を示している。図５は、室外機３０の斜視図であり、前板４６、天板４８及び左側板５０などが取り外されている状態を示している。また、図６は、図１のＩ−Ｉ線断面図である。
【００５０】
室外機３０のケーシング４０は、図３に示されている前板４６、右側板４７、天板４８及び底板４９を備えている。また、図４に示されているように室外熱交換器３３は上面視Ｌ型の形状であり、ケーシング４０の左側面には、Ｌ字型の室外熱交換器３３の左側面部３３２に正対して左側板５０が取り付けられている。図４からは視認できないが、室外熱交換器３３に外気を導くため、左側板５０が格子形状に成形されている。室外熱交換器３３の後面部３３１のために送風機室４１の後側が開放されており、図示が省略されているが、送風機室４１の後側には室外熱交換器３３の後面部３３１を覆う保護金網が取り付けられている。
【００５１】
ケーシング４０を送風機室４１と機械室４２とに仕切る仕切板４３は、図５に示されているように、右側板４７に略並行に配置されている。この仕切板４３は、室外熱交換器３３の右端から前方に向かって延びるとともに、底板４９から天板４８まで上下に延びている。この仕切板４３の前方部は、前板４６に接して取り付けられる。右側板４７は、室外熱交換器３３の後面部５１の右端から右側面に至る後面及び右側面全体を覆っている。
【００５２】
また、仕切板４３には開口部４３ｂが形成されている（図５参照）。図４に示されている電装品箱５５がこの開口部４３ｂに配置され、パワーデバイスを冷却するためのフィンが開口部４３ｂから送風機室４１内に向かって突出して配置される。
【００５３】
ところで、前板４６には図３に示されている円形の吹出口４４が形成されており、吹出口４４の周囲にリング状のベルマウス５２が取り付けられている。プロペラ３９ｂの一部がこのベルマウス５２で囲まれた空間内に入るように配置されている。
【００５４】
プロペラ３９ｂの回転軸をファンモータ３９ａの駆動軸に結合させるため、プロペラ３９ｂの後面側にファンモータ３９ａが取り付けられている。このファンモータ３９ａを支持するためのファンモータ台５３は、プロペラ３９ｂの後面側にある上下に長い金属製の部材である。このファンモータ台５３は、プロペラ３９ｂによる外気の流れを妨げないように、上下に延びる２本の支柱部と、これらの支柱部をファンモータ３９ａや室外熱交換器３３の上端３３ｂや底板４９の付近で繋ぐ複数の横桟部とで構成されている。そして、ファンモータ台５３は、底板４９と室外熱交換器３３の上端３３ｂとに取り付けられている。
【００５５】
（３−３）室外熱交換器
室外熱交換器３３は、既に説明したように、ケーシング４０の後側に配置される後面部３３１と左側面側に配置される左側面部３３２を有しており、上面視においてＬ字型の形状を呈する。この室外熱交換器３３は、高さ方向に長く延びる多数のフィンと、フィンを貫いて水平に取り付けられて多数のフィンと熱的に接続されている伝熱管とを有している。そして、室外熱交換器３３は、底板４９から天板４８に達する背丈を持っている。伝熱管は、室外熱交換器３３の両端部で複数回折り返されることによって高さ方向に多数列配置されている。例えば、冷房時には、室外熱交換器３３の最下層の列の伝熱管から高温の冷媒が入って上の列ほど冷媒温度が下がるように配置され、暖房時には、最上層の列の伝熱管から低温の冷媒が入って下の列ほど冷媒温度が上がるように配置される。このような配置にすると、暖房時には、室外熱交換器３３の上部付近で冷やされた外気が加湿ユニット６０の吸湿用ダクト６８に導かれる。
【００５６】
（３−３−１）室外熱交換器と加湿ユニットの配置
図７及び図８には、室外熱交換器３３の前に配置されている加湿ユニット６０が示されている。図７は、加湿ユニット６０を取り出して、加湿ユニット６０の前方右斜め上から見た斜視図であり、図８は、加湿ユニット６０の後方右斜め上から見た斜視図である。ただし、図７及び図８は、図４及び図５に示されている上部カバー６７を取外した状態を示している。
【００５７】
室外熱交換器３３の前に加湿ユニット６０が剥き出しで配置されているのが、この室外熱交換器３３の特徴である。加湿ユニット６０の上面６０ａの位置の高さは、室外熱交換器３３の上端３３ｂ（頂部）の高さと一致する。加湿ユニット６０は、比較的複雑な外観をそのままに、できるだけ容積が小さくなる形状が与えられている。
【００５８】
（３−４）グリル
図１に示されているグリル５６は、ケーシング４０の前板４６に取り付けられ、吹出口４４を覆っている。グリル５６には、外気を吹き出すため、図９に示されている開口部５６ａが多数形成されている。グリル５６の左上部には、ガイド構造５６ｂが樹脂製の板で形成されている。つまり、このような板状のガイド構造５６ｂを形成するため、領域Ａｒ１では、グリル５６の桟５６ｄと桟５６ｄの間が塞がれた構造になっている。例えば、グリル５６の形成時に、ガイド構造５６ｂになる部分に開口部５６ａが形成されるのを避けて加工をすることによって、このガイド構造５６ｂが形成される。射出成形によりグリル５６を成形するときには、例えば、ガイド構造５６ｂに対応する領域が塞がるように金型を作成する。このようにグリル５６を製造すると、ガイド構造５６ｂを別に形成するための工程を省くことができる。ここでは、ケーシング４０をコンパクト化するためにガイド構造５６ｂがケーシング４０の外に形成されている。
【００５９】
図１６に示されているように、ガイド構造５６ｂは、正面視において、吹出口４４の一部に掛かるように形成され、吹出口４４から前方に向かって吹き出される外気の一部を遮っている。遮られた外気は、図９に二点鎖線で示されている経路ｒ１のように、ガイド構造５６ｂに沿って上方に導かれる。ガイド構造５６ｂに沿って上方に導かれた外気は、グリル５６の上部が塞がっているので、唯一開いている吸気口６８ａに入る。つまり、図１に示されているように室外機３０を正面から見てガイド構造５６ｂの上端及び左右両端と前板４６との重なり部分５６ｂ１が通路になっており、ガイド構造５６ｂと吹出口４４との重なり部分５６ｂ２から上方の重なり部分５６ｂ１に向かって導かれた外気が吸気口６８ａに入ることになる。
【００６０】
正面から見て、ガイド構造５６ｂが吹出口４４に掛かる重なり部分５６ｂ２の面積が増加すれば、吸気口６８ａに導かれる外気の風量が増えるが、一方で室外熱交換器３３に導かれる外気の風量の低下を招く。そのため、ガイド構造５６ｂが吹出口４４に掛かる面積は、両者に適切な風量が配分されるように設定される。
【００６１】
（３−５）加湿ユニット
加湿ユニット６０は、図２や図５などに示されているように、外気から吸湿するための吸湿部６１と、放湿して空気を加湿するための放湿部６２とを有する。
【００６２】
（３−５−１）吸湿部と放湿部
この加湿ユニット６０においては、吸湿部６１と放湿部６２とは、図１０に示されているような１枚の円盤状の加湿ロータ６３によって構成されている。つまり、加湿ロータ６３は、吸湿部６１と放湿部６２とを兼ねる吸放湿材である。この円盤状の加湿ロータ６３は、ゼオライト等の焼成によって形成されたハニカム構造のゼオライトロータである。加湿ロータ６３は、円盤の中心を回転軸として回転するように取り付けられ、加湿ロータ６３の周囲に設けられているギア６４に伝達されるロータ駆動用モータ（図示せず）の動力によって回転駆動される。
【００６３】
加湿ロータ６３を形成しているゼオライト等の吸着剤は、例えば常温で空気から吸湿し、ヒータ７１で高温に加熱された空気により常温よりも高い温度になることによって放湿するという性質を持っている。つまり、加湿ロータ６３のうちの高温の空気にさらされている側が吸湿部６１になり、高温の空気にさらされている側が放湿部６２になる。別の観点から見ると、加湿ロータ６３は、加湿ロータ６３の温度が低い側で吸湿し、加湿ロータ６３の温度が高い側で放湿する。この加湿ロータ６３が回転するので、吸湿部６１での吸湿によって加湿ロータ６３に吸着された水分は、加湿ロータ６３の回転に連れて放湿部６２に運ばれ、放湿部６２での放湿によって吸着されていた水分が脱着されて放湿部６２の周囲の空気が加湿される。加湿ロータ６３の放湿部６２を通過させる空気を加熱するため、放湿部６２の上方にはヒータ７１が設けられている。
【００６４】
（３−５−２）包囲壁
図７及び図８に示されているように、円盤状の加湿ロータ６３の外周の全周囲は、包囲壁６５，６６によって包囲されている。この加湿ユニット６０では、吸湿部６１の外周が包囲壁６５によって覆われ、放湿部６２の外周が包囲壁６６によって覆われている。
【００６５】
（３−５−３）吸湿用ダクト
吸湿部６１の上部には、吸湿部６１に外気を導くための吸湿用ダクト６８が設けられている。吸湿用ダクト６８を上から見ると、図４に示されているように、中心角αが１８０度より大きい扇形の吸湿部６１の上を覆っている。
【００６６】
吸湿用ダクト６８は、前面側に向かって開口していて前面側から外気を吸い込む吸気口６８ａを有している。吸湿用ダクト６８は、図６に示されているように、吸気口６８ａに続く傾斜部６８ｂが吸湿用ダクト６８の上部に形成されており、そのため、側面から見ると吸湿用ダクト６８が下方に向けて湾曲している形になる。このような下方に向け湾曲した構造を吸湿用ダクト６８が持っているため、下方から上に向かって送風されてくる外気が吸湿用ダクト６８の吸気口６８ａから入り易くなる。また、吸湿用ダクト６８は、吸気口６８ａから後面側に進むに従って上下に広がっており、吸気口６８ａから後面側に進む外気は、後面側に進むに従って上下に広がり、吸湿部６１の全体に行き渡り易くなる。吸湿用ダクト６８は、図４に示されているように吸湿部６１の全面を覆っており、下方に配置されている加湿ロータ６３を上から下に向けて外気が通過する。
【００６７】
（３−５−４）排気口
排気口６９は、加湿ロータ６３の下方にある。そして、この排気口６９は、吸湿用ダクト６８の上面からの投影部分にほぼ等しい領域を占める。排気口６９の下方には、図６や図９に示されているように、プロペラ３９ｂが配置されている。つまり、この排気口６９は、プロペラ３９ｂが回転するときに負圧になる空間７０に対向していることになる。このような構成によって、ベルマウス５２からプロペラ３９ｂによって吹き出して吸気口６８ａに入った外気が、図９に二点鎖線で記されている経路を通って、負圧の空間７０の方に引かれて排気口６９から送風機室４１に吹き出される。そのため、室外ファン３９のみによって外気が吸湿部６１に送られ、従来必要であった吸湿部６１に外気を送るための専用のファンを省くことができる。
【００６８】
（３−５−５）ヒータ
図１０に示されているように、放湿部６２から放湿させるために、加湿ロータ６３の放湿部６２の上方にヒータ７１が設けられている。図１１は、ヒータ７１及びヒータ支持部材７４を下方から見た底面図である。ヒータ７１は、筒状の筐体の中に電熱線（図示せず）が設けられた構造を持ち、吸入口７２から吸入されて加湿ロータ６３に送られる外気を電熱線で加熱する。加湿ロータ６３のハニカム構造の開口を加熱された空気が通り抜けるときに、加湿ロータ６３からの放湿によって加湿用ダクト７３の空気が加湿される。
【００６９】
ヒータ７１は、図１１に示されているように、ヒータ支持部材７４の下側に取り付けられている。ヒータ支持部材７４は、上面部７４ａと周囲の外壁部７４ｂと固定板７４ｃとを有し、上面と側面とが上面部７４ａと外壁部７４ｂとで囲まれ下方が解放されている筒体である。ヒータ７１の筐体及びヒータ支持部材７４は、耐熱性を必要とするため板金によって形成されている。吸入口７２は、ヒータ支持部材７４の前面側かつ加湿ロータ６３の下にあって、吸入口７２から吸入されて加湿ロータ６３を上に抜けた外気がヒータ７１の筐体の中を前面側から後面側に向けて通過する。このとき、ヒータ７１によって外気が加熱される。ヒータ７１の筐体を通過した空気は、加湿ロータ６３の上を通って後面側に進む。加湿ロータ６３の後面側の下方が加湿用ダクト７３（図５参照）に繋がっているので、加湿用ダクト７３の上方に達した空気は、加湿ロータ６３を下に向けて通過して加湿用ダクト７３に吸い込まれる。加湿ロータ６３は、ヒータ７１によって温度が上昇した空気に晒されて放湿する。このように加湿ロータ６３によって加湿された空気が加湿用ダクト７３を経て室内機２０へと導かれる。そのため、加湿ロータ６３のうち、図１０に示されているように、ヒータ支持部材７４の下方が放湿部６２になり、それ以外の部分が吸湿部６１になる。加湿ロータ６３は、上面から見て時計回りに回転しており、吸湿部６１として機能した加湿ロータ６３の部分が回転してヒータ支持部材７４の下に来ると放湿部６２として機能する。つまり、加湿ロータ６３は、吸湿部６１と放湿部６２とを兼ねる吸放湿材である。
【００７０】
（３−５−６）ターボファン及び加湿用ダクト
加湿用ダクト７３は、上述のように、加湿ロータ６３の下方後面側に位置していて室外熱交換器３３の前方に位置するため、室外熱交換器３３を通過する外気にとっての送風抵抗になる。また、ターボファン７５も室外熱交換器３３の前に配置されると送風抵抗を発生させる原因になるため、比較的占有容積の大きなターボファン７５は、図２や図４に示されているように機械室４２に設置されている。
【００７１】
プロペラ３９ｂが加湿ユニット６０の下方に配置されており、プロペラ３９ｂの回転する領域のうち最も高い位置でも、室外熱交換器３３の上端３３ｂに比べると加湿ユニット６０の高さ方向の大きさ分だけ下に位置することになる。そのため、室外熱交換器３３の上端近傍を通過した外気は、プロペラ３９ｂに向かって斜め下に向かって流れる。このような外気の流路を加湿用ダクト７３ができるだけ妨げないように、加湿用ダクト７３はターボファン７５に近い方が室外熱交換器３３の上端３３ｂの高さと同じ位置にくるように、ターボファン７５に向かって斜めに配置されている。加湿用ダクト７３には、図２に示されているようにダンパ７８が取り付けられており、加湿運転時における加湿用ダクト７３における逆流つまりターボファン７５側から加湿ロータ６３へ流れる空気の流れを防止している。
【００７２】
ターボファン７５は、図７に示されているように、前後方向に場所を取らない配置になっている。すなわち、ターボファン７５の羽根車の回転軸が前後方向に伸びる縦置きの配置となっている。そして、ターボファン７５の吸込口７６は、加湿ユニット６０の方を向けて配置されている。また、ターボファン７５の吐出口７７は、下方に向けて斜めに配置されている。ダンパ７８を加湿用ダクト７３の側に設けるとともに吐出口７７を斜め下方に向けて設けることによって、ターボファン７５の吐出口７７及び吐出口７７近傍も室外機３０の内部に収納されている。右側板４７の開口部４７ａから露出しているターボファン７５の吐出口７７には、給気ダクト１８が取り付けられる。
【００７３】
（３−５−７）加湿ユニットの固定
図１２は、加湿ユニット６０の断面形状を示すための室外機３０の部分断面図である。加湿ユニット６０は、ファンモータ台５３の上にビス５３ａで固定されている。また、加湿ユニット６０の前方が前板４６にまで達している。固定された状態では、加湿ユニット６０は前後左右に移動しない。そのため、室外熱交換器３３の前面３３ａと加湿ユニット６０後面６０ｂとの間に所定隙間Ｉｓが形成されている。この隙間Ｉｓは、後面６０ｂに形成されているリブ６０ｃによって確実に保たれる。また、吸湿用ダクト６８の後面側には、傾斜部６８ｃが形成され、図１２に示されている包囲壁６５は下方に行くに従って前方に張り出すように傾斜している傾斜部６５ｃが設けられている。傾斜部６５ｃを設けられて下方が図１２に示されているように傾斜していると、外気の通りが良くなる。
【００７４】
上述のように隙間Ｉｓが形成されているため、図１２に示されている経路ｒ２のように外気が流れ、加湿ユニット６０の後面側にある室外熱交換器３３を外気が通過してこの通過する外気が熱交換されるので、熱交換効率が低下するのを抑制できる。
【００７５】
また、加湿ユニット６０の上部の傾斜部６８ｃがあることによって、室外熱交換器３３を前方に向かって通過して傾斜部６８ｃに当たる外気については、加湿ユニット６０に当たって左側の前方に進む。図４に示されているように、左側面側に進んだ外気は、室外熱交換器３３と加湿ユニット６０との空間４１ａから下に向けて流れ、プロペラ３９ｂの方に向かう経路ｒ３が形成される。そのため、この経路ｒ３が形成されない場合に比べて、送風抵抗が低下する。
【００７６】
＜第２実施形態＞
第１実施形態では、吸湿用ダクト６８の吸気口６８ａには、室外ファン３９が発生した気流のうちのガイド構造５６Ａｂによって吸気口６８ａに導かれたもののみが吸気される。第１実施形態の構成は、室外ファン３９の気流を十分に利用できるため、吸気される外気の量を確保し易い構成である。
【００７７】
それに対して、図１３に示されている第２実施形態の室外機３０Ａは、グリル５６Ａのガイド構造５６Ａｂに開口部５６Ａｂａを有している。開口部５６Ａｂａは、吸気口６８ａに対向して設けられている。そのため、ガイド構造５６Ａｂに沿って進んで吸気口６８ａに入る経路ｒ１と、開口部５６Ａｂａから直接吸気口６８ａに入る経路ｒ４とができる。このとき、経路ｒ１で送られる外気に連れて経路ｒ４を通り吸気口６８ａに外気が導かれる。
【００７８】
（４）特徴
（４−１）
図９などに示されているように、室外熱交換器３３から室外ファン３９とベルマウス５２とで仕切られる部分までの負圧空間７０は、室外ファン３９が回転しているときには負圧になる空間である。排気口６９は、この負圧空間７０に面しており、排気口６９を挟んで、加湿ロータ６３の在る側から負圧空間７０に向かう気流が発生する。一方、ベルマウス５２よりも前方は、吹出口４４から吹き出される気流が発生する。室外機３０には、図９や図１３に示されているガイド構造５６ｂ，５６Ａｂで向きを変えた空気が吹出口４４から吸気口６８ａ、そして吸湿部６１を経由して排気口６９に抜ける経路ｒ１が形成される。そのため、室外ファン３９により外気を効率よく吸湿部６１に導くことができ、吸湿機能が向上する。その結果、吸湿部６１に外気を導くために従来設けられていた専用ファンや専用ファンのための駆動モータを省くことができる。なお、上記実施形態では、専用ファンなどが省かれる場合について説明したが、省かないまでも専用ファンや駆動モータを小型化できれば、加湿ユニット６０のダウンサイジングを図ることができる。加湿ユニット６０の小型化ができれば、室外機３０のダウンサイジングも図れる。
【００７９】
（４−２）
図９に示されている第１実施形態の構成は、室外ファン３９を経由してガイド構造５６ｂ，５６Ａｂに沿って導かれた空気のみを吸気口６８ａで吸気する構成である。このような構成では、室外ファン３９によって発生する気流を十分に利用して外気を効率よく吸気口６８ａに導くことができる。
【００８０】
（４−３）
図１３に示されているように、ガイド構造５６Ａｂに沿って経路ｒ１（第１経路）で導かれる空気は、経路ｒ４（第２経路）で導かれる空気を呼び込むために用いることができ、経路ｒ４を使うことで経路ｒ１（第１経路）の空気よりも湿度の高い空気を吸湿部に導入し易くなる。
【００８１】
経路ｒ１で送られる外気は、室外熱交換器３３を一度通過しているものがそのほとんどであるため、室外熱交換器３３における結露によって湿度が下がっている場合がある。一方、開口部５６Ａｂａから直接吸気口６８ａに入る外気は、室外熱交換器３３を通過していないものであるため、経路ｒ１で運ばれる外気に比べて湿度が高い場合が多い。経路ｒ４を使って外気を吸気口６８ａに取り込むことで、湿度の高い空気を取り入れることができる場合がある。そのような場合には、経路ｒ４を使って経路ｒ１の空気よりも湿度の高い空気を吸湿部６１に導入し、加湿性能を向上させることができる。
【００８２】
（４−４）
図１、図９及び図１３に示されているように、ガイド構造５６ｂ，５６Ａｂはグリル５６，５６Ａに形成されており、グリル５６，５６Ａとともにガイド構造５６ｂ，５６Ａｂが前板４６に取り付けられている。つまり、ガイド構造５６ｂ，５６Ａｂの取り付けは、グリル５６，５６Ａの取り付けによって行なうことができ、非常に簡単にガイド構造５６ｂ，５６Ａｂの取り付けが行える。
【００８３】
上記実施形態では、グリル５６，５６Ａとガイド構造５６ｂ，５６Ａｂを一体的に形成したものを示したが、グリル５６，５６Ａとガイド構造５６ｂ，５６Ａｂとが分離するものであってもよい。また、上記実施形態のようにグリル５６，５６Ａを介して間接的にガイド構造５６ｂ，５６Ａｂが前板４６に取り付けられる場合だけでなく、ガイド構造５６ｂ，５６Ａｂが直接前板４６に取り付けられるものであってもよい。
【００８４】
（４−５）
上述のように、ガイド構造５６ｂ，５６Ａｂは、グリル５６，５６Ａに形成され、グリル５６，５６Ａの開口部５６ａの打ち抜きがされなかった部分で構成されている。そのため、ガイド構造５６ｂ，５６Ａｂの成形が、グリル５６，５６Ａの成形と同時に行なえるものとなっている。そのため、ガイド構造５６ｂ，５６Ａｂを形成するための専用の工程を付加しなくてもよく、ガイド構造５６ｂ，５６Ａｂを有する室外機３０，３０Ａを安価に提供できる。
【００８５】
（４−６）
図９に示されているように、加湿ユニット６０は、室外ファン３９の上方に吸湿用ダクト６８が配置されている。側面視において、吸気口６８ａから吸湿部６１に外気を導く吸湿用ダクト６８は、その上端と下端の中間を通る線を結ぶと下方に向けて湾曲していることが分かる。下方に向けて湾曲しているので、経路ｒ１を通って下方から上がってくる外気を吸湿用ダクト６８が吸気し易くなっており、吸湿部６１へ供給される外気が増えて加湿性能が向上する。
【００８６】
（５）変形例
（５−１）
上記実施形態では、１台の室内機２０に１台の室外機３０が接続されているペア型の空気調和装置１０について説明したが、本発明が適用できる空気調和装置のタイプはペア型には限られない。例えば、１台の室外機に複数台の室内機が接続されているマルチ型の空気調和装置にも本発明を適用することができる。
【００８７】
（５−２）
上記実施形態では、室外機３０のケーシング４０内が、送風機室４１と機械室４２の２つに分割されている場合について説明したが、内部に送風機室４１が設けられているケーシング４０であれば本発明の室外機を構成することができる。例えば、送風機室４１と機械室４２以外に仕切られた空間が形成されていてもよく、例えば機械室４２が他の機能も含む他の室として設けられていてもよい。
【００８８】
（５−３）
上記実施形態では、室外熱交換器３３が上面視Ｌ字型の形状を呈するものについて説明したが、本発明の室外機を構成する室外熱交換器は上述の形状には限られない。例えば、上面視Ｉ字型の形状を持つ室外熱交換器で構成することもできる。
【００８９】
（５−４）
図５に示されているように、排気用ダクト８０が設けられてもよい。このような排気用ダクトが設けられる場合にも、室外熱交換器３３の前面３３ａから排気用ダクトの後面との間に所定隙間Ｉｓ以上の隙間Ｉｓ２（図６参照）が設けられることが好ましい。また、排気用ダクト８０の下方に傾斜部が設けられて、傾斜部８０ａによって送風抵抗が低下されるのが好ましい。
【００９０】
（５−５）
上記実施形態では、室外ファン３９がプロペラ３９ｂを持つものについて説明したが、プロペラ３９ｂを持つものに限られない。プロペラ型以外のタイプの羽根を持つ室外ファンでも本発明の室外機を構成することができる。
【００９１】
（５−６）
上記実施形態では、吸湿部６１が放湿部６２よりも大きく、図４に示されているように、吸湿部６１の中心角αが１８０度より大きい扇形になる場合について説明したが、吸湿部６１と放湿部６２の大きさは適宜設定できる。例えば。図１３に示されるように、吸湿部６１と放湿部６２の大きさはほぼ等しくなるように、中心角をそれぞれ１８０度に設定することもできる。
【００９２】
（５−７）
上記実施形態では、吸湿部６１に外気を導くための専用のファンやそのファンを駆動するためのモータを省いているが、従来よりも小型化された専用ファンや専用ファン用のモータを取り付けてもよい。そのような場合であっても、室外ファン３９によって吸湿部６１に送風されるため、吸湿部６１に外気を導くためだけの専用ファンや専用ファン用のモータを従来に比べて小型化できる分だけ従来よりも室外機をコンパクト化できる。
【００９３】
（５−８）
上記実施形態では、仕切板４３によって放湿部６２とターボファン７５との間を仕切る場合について説明したが、図１４及び図１５に示されている仕切板４３によって吸湿部６１と放湿部６２との間で仕切るように構成することもできる。図１４及び図１５に示されているように、吸湿部６１と放湿部６２との境に仕切板４３を配置することによって、放湿部６２と加湿用ダクト７３とターボファン７５とを機械室４２に設置するように構成することができる。それにより、室外熱交換器３３を通過した外気によって放湿部６２が冷やされるのを防ぐことができる。また、ターボファン７５と加湿用ダクト７３の一部だけでなく、放湿部６２及び加湿用ダクト７３の全体が室外熱交換器３３を通過した外気の通路から外れるので、これらによる通風抵抗の増加を低減することができる。このような変形例においても、ガイド構造の位置を吸気口６８ａの位置にあわせて仕切板４３の方へ移動することによって上述のガイド構造を適用することができる。
【００９４】
なお、図１４及び図１５では、放湿部６２の全体が機械室４２に配置される例が示されているが、放湿部６２の一部が機械室４２に配置されるように構成することもできる。放湿部６２の一部が機械室４２に配置される場合には、全体が機械室４２に配置される場合に比べて通風抵抗の増加を低減する効果や放湿部６２が冷やされることを防ぐ効果は小さくなるが、第１実施形態に比べればこれらの効果は向上する。
【００９５】
また、ターボファン７５が、その回転軸の延びる方向を前後に向けて設置される場合を例に挙げて説明したが、ターボファン７５の設置方向はこの例に限られるものではない。例えば、図１５に示されているように、回転軸の延びる方向をケーシング４０の長手方向である左右方向に一致させるように構成することもできる。このように回転軸の延びる方向をケーシング４０の長手方向に一致させることにより、ケーシングの長手方向の長さを短縮し易くなる。
【００９６】
＜第３実施形態＞
（１）空気調和装置及び室外機の構成の概要
次に、図１７乃至図２３を用いて第３実施形態に係る空気調和装置の室外機について説明する。図１７乃至図２３に示されている第３実施形態に係る室外機３０Ｂが組み込まれた空気調和装置の構成の概要は、図１７に示されているように、第１実施形態において図２を用いて説明した空気調和装置１０の構成の概要とほぼ同じであるが、一部変更されている。第３実施形態の室外機３０Ｂも、第１実施形態の室外機３０と同様に、ケーシング４０Ｂと仕切板４３Ｂとを備えており、図１７と図２０に示されているように、ケーシング４０Ｂの内部空間が仕切板４３Ｂによって送風機室４１Ｂと機械室４２Ｂとに分けられている。室外機３０Ｂには、冷媒回路を構成するため、室外機３０と同様に圧縮機３１、四路切換弁３２、室外熱交換器３３、電動弁３４、フィルタ３５、アキュムレータ３６、液閉鎖弁３７及びガス閉鎖弁３８が設けられている。また、図２０に示されているように、ファンモータ３９Ｂａによってプロペラ３９Ｂｂが駆動される室外ファン３９Ｂが室外熱交換器３３の下流側に設けられている。このプロペラ３９Ｂｂは正面から見て反時計回りに回転する。そして、加湿ユニット６０Ｂは、送風機室４１Ｂの空間内に設置され、室外ファン３９Ｂの上方に配置されている。
【００９７】
（２）加湿ユニット
図１７に示されているように、加湿ユニット６０Ｂが吸湿部６１と放湿部６２とを有する点は、第１実施形態の加湿ユニット６０と同じである。また、加湿ユニット６０Ｂが、図１０に示されているような１枚の円盤状の加湿ロータ６３及びヒータ７１を有する点、図９に示されている吸湿用ダクト６８、図１０に示されている排気口６９及び図７に示されている吸入口７２に相当する吸入口７２Ｂ（図２０参照）を有する点、並びに図７に示されている加湿用ダクト７３及びターボファン７５に相当するターボファン７５Ｂを有する点は、第１実施形態の加湿ユニット６０と同様である。
【００９８】
加湿ユニット６０Ｂの吸入口７２Ｂが加湿ユニット６０の吸入口７２と異なる点はその形状と大きさであり、吸入口７２Ｂから吸入された外気が加湿ロータ６３に送られる構造は加湿ユニット６０Ｂも加湿ユニット６０と同じである。また、加湿ユニット６０のターボファン７５の配置が縦置きであるのに対し、加湿ユニット６０Ｂのターボファン７５Ｂは横置きの配置となっている。つまり、ターボファン７５の羽根車の回転軸が前後方向に延びるのに対し、ターボファン７５Ｂの羽根車の回転軸は上下方向に延びている。ターボファン７５Ｂは、図２０に示されているようにプロペラ３９Ｂｂの上方の送風機室４１Ｂに配置されているが、横置きとすることで通風抵抗の増加を抑えられるように送風機室４１Ｂの内部に取り付けられている。
【００９９】
また、加湿ユニット６０Ｂの吸気口６８ａにはフィルタ６８ｆが取り付けられている。そのため、吸気する外気の流れに対して、加湿ユニット６０に比べてフィルタ６８ｆでの圧力損失の分だけ外気を吸気し難くなるが、後述するガイド構造によって十分な量の外気を吸気できる構成になっている。
【０１００】
（３）室外熱交換器と加湿ユニットの配置関係
図２０には、室外熱交換器３３の前に配置されている加湿ユニット６０Ｂが示されている。室外熱交換器３３の前に加湿ユニット６０Ｂが剥き出しで配置されているのが、この室外機３０Ｂの特徴の一つである。加湿ユニット６０Ｂの上面６０Ｂａの位置の高さは、室外熱交換器３３の上端３３ｂ（頂部）の高さに一致する。そのため、この加湿ユニット６０Ｂには、比較的複雑な外観をそのままに、できるだけ容積が小さくなる形状が与えられている。ここでは、加湿ユニット６０Ｂの上面６０Ｂａの位置の高さを室外熱交換器３３の上端３３ｂの高さに一致させているが、必ずしも一致させる必要はなく、室外熱交換器３３の前に加湿ユニット６０Ｂが剥き出しで配置されることで室外機３０Ｂのコンパクト化が図られている。
【０１０１】
（４）ケーシング
図１８は室外機３０Ｂの正面図であり、図１９は室外機３０Ｂの斜視図であり、図１９には、図１８の室外機３０Ｂからグリル５６などが取り外された状態が示されている。室外機３０Ｂのケーシング４０Ｂは、前板４６Ｂ、右側板４７、天板４８及び底板４９を備えている。ケーシング４０Ｂの左側面にもケーシング４０と同様に、Ｌ字型の室外熱交換器３３の左側面部に正対して、格子形状に成形されている左側板が取り付けられている。また、ケーシング４０と同様に、ケーシング４０Ｂの送風機室４１Ｂの後側には室外熱交換器３３の後面部を覆う保護金網が取り付けられ、送風機室４１Ｂの後側が開放されている。
【０１０２】
前板４６Ｂには、図１９に示されている円形の吹出口４４が形成されており、吹出口４４Ｂの周囲にリング状のベルマウス５２が取り付けられている。プロペラ３９Ｂｂの一部がこのベルマウス５２で囲まれた空間内に入るように配置されている。
【０１０３】
第２実施形態の室外機３０Ｂのケーシング４０Ｂが第１実施形態のケーシング４０と異なる点のうちで重要な点は、吸気口６８ａのための開口部４６Ｂａと吸入口７２Ｂのための開口部４６Ｂｂとが前板４６Ｂに分離して形成されている点である。それに対して第１実施形態のケーシング４０の前板４６には、吸気口６８ａと吸入口７２とのための開口部４６ａ（図３参照）が一つ形成されているだけである。前板４６Ｂの２つの開口部４６Ｂａ，４６Ｂｂは、後述するグリル５６Ｂのリブ５６ｑ（図２３参照）によって分離されている。
【０１０４】
（５）グリル
図２１には、ケーシング４０Ｂに取り付けられているグリル５６Ｂを、ケーシング４０Ｂから室外熱交換器３３及び室外ファン３９Ｂなどを取り除いて背面から見た状態が示されている。そして、図２２はグリル５６Ｂの背面図であり、図２３はグリル５６Ｂを背面の斜め上方から見た斜視図である。図１８に示されているグリル５６Ｂは、ケーシング４０Ｂの前板４６Ｂに取り付けられ、吹出口４４を覆っている。グリル５６Ｂには、桟５６ｄと桟５６ｄの間に開口部５６ａが多数形成されている。グリル５６Ｂの上部には、ガイド構造５６Ｂｂが樹脂製の板で形成されている。
【０１０５】
図１８及び図２１に示されているように、ガイド構造５６Ｂｂは、正面視（又は背面視）において、吹出口４４の一部に掛かるように形成され、吹出口４４から前方に向かって吹き出される空気の流れの一部を遮っている。ガイド構造５６Ｂｂを形成するには、グリル５６の形成と同様にガイド構造５６Ｂｂになる部分において桟５６ｄと桟５６ｄの間が塞がって開口部５６ａが形成されないような射出成形をすることで樹脂製のグリル５６Ｂにガイド構造５６Ｂｂを形成することができる。
【０１０６】
図２１に示されているように、室外機３０Ｂをみると、ガイド構造５６Ｂｂは、前板４６Ｂとの重なり部分５６Ｂｂ１及び吹出口４４との重なり部分５６Ｂｂ２を有していることが分かる。前板４６Ｂとの重なり部分５６Ｂｂ１と前板４６Ｂとの間の空間が通路になり、吹出口４４との重なり部分５６Ｂｂ２で向きを変えた外気が前板４６Ｂとの重なり部分５６Ｂｂ１及び前板４６Ｂで形成される通路を通って吸気口６８ａに導かれる。吹出口４４との重なり部分５６Ｂｂ２の面積が増加すれば、吸気口６８ａに導かれる外気の風量が増える一方、吹出口４４との重なり部分５６Ｂｂ２で送風抵抗が増加して室外熱交換器３３に導かれる外気の風量の低下を招く。そのため、吹出口４４との重なり部分５６Ｂｂ２の面積は、両者に適切な風量が配分されるように設定される。
【０１０７】
グリル５６Ｂには、吸入口７２Ｂに対向する位置に吸入用開口部５６ｐが形成されている。この吸入用開口部５６ｐの周囲はリブ５６ｑで囲まれており、吸入口７２Ｂから吸入される外気は、室外ファン３９Ｂによって送風されるものではなくて室外機３０Ｂの前方から取り込まれるものである。ガイド構造５６Ｂｂによって吹出口４４から吸気口６８ａに向かう外気は、吸入用開口部５６ｐを囲むリブ５６ｑによって、吸入口７２Ｂに吸入されないように遮られる。
【０１０８】
グリル５６Ｂの内面において吸入用開口部５６ｐの下にはリブ５６ｒが形成されている。リブ５６ｒは、表面が滑らかな板状に成形されており、室外ファン３９Ｂの回転方向に延びている。言い換えると、室外ファン３９Ｂのプロペラ３９Ｂｂの回転中心３９Ｂｂ１から放射状に延びる直線に対してほぼ直交する方向にリブ５６ｒが延びている。図２３における二点差線で囲まれた領域Ａｒ２に吸気口６８ａが対向している。このリブ５６ｒと前板５６Ｂとガイド構造５６Ｂｂとで、図２３に示されている経路ｒ５の３方が囲まれたチェネルが形成される。このチャネルにより、室外ファン３９Ｂのプロペラ３９Ｂｂの回転方向に吹出口４４から旋回して吹出される外気を経路ｒ５に沿ってスムーズに導くことができる。
【０１０９】
（６）特徴
（６−１）
図９などを用いて説明した第１実施形態と同様に、室外熱交換器３３から室外ファン３９Ｂとベルマウス５２とで仕切られる部分までの空間は、室外ファン３９Ｂが回転しているときには負圧になる空間である。排気口６９は、この負圧空間に面しており、排気口６９を挟んで、加湿ロータ６３の在る側から負圧空間に向かう気流が発生する。一方、ベルマウス５２よりも前方は、吹出口４４から吹き出される気流が発生する。
【０１１０】
室外機３０Ｂには、図２２及び図２３に示されているガイド構造５６Ｂｂで向きを変えた空気が吹出口４４から吸気口６８ａ、そして吸湿部６１を経由して排気口６９に抜ける経路ｒ５が形成される。そのため、室外ファン３９Ｂにより外気を効率よく吸湿部６１に導くことができ、吸湿機能が向上する。その結果、吸湿部６１に外気を導くために従来設けられていた専用ファンや専用ファンのための駆動モータを省くことができる。なお、上記実施形態では、専用ファンなどが省かれる場合について説明したが、省かないまでも専用ファンや駆動モータを小型化できれば、加湿ユニット６０Ｂのダウンサイジングを図ることができる。加湿ユニット６０Ｂの小型化ができれば、室外機３０Ｂのダウンサイジングも図れる。
【０１１１】
（６−２）
図２３に示されている第３実施形態の構成は、室外ファン３９Ｂを経由してガイド構造５６Ｂｂに沿う経路ｒ５で導かれた空気のみを吸気口６８ａで吸気する構成である。このような構成では、室外ファン３９によって発生する気流を十分に利用して外気を効率よく吸気口６８ａに導くことができる。
【０１１２】
第３実施形態では、図１３に示されたガイド構造５６Ａｂに沿って経路ｒ１（第１経路）で導かれる空気が、経路ｒ４（第２経路）で導かれる空気を呼び込むために用いる構成については説明されていないが、第３実施形態の吸気口６８ａに対向するガイド構造５６Ｂｂに第２実施形態の開口部５６Ａｂａように開口部を設けて経路ｒ４に相当する経路を作り、経路ｒ１の空気よりも湿度の高い空気を吸湿部６１に導入するように構成してもよい。
【０１１３】
（６−３）
図２１乃至図２３に示されているように、ガイド構造５６Ｂｂはグリル５６Ｂに形成されており、グリル５６Ｂとともにガイド構造５６Ｂｂが前板４６Ｂに取り付けられている。つまり、ガイド構造５６Ｂｂの取り付けは、グリル５６Ｂの取り付けによって行なうことができ、非常に簡単にガイド構造５６Ｂｂの取り付けが行える。
【０１１４】
上記第３実施形態では、グリル５６Ｂとガイド構造５６Ｂｂを一体的に形成したものを示したが、グリル５６Ｂとガイド構造５６Ｂｂとが分離するものであってもよい。また、上記実施形態のようにグリル５６Ｂを介して間接的にガイド構造５６Ｂｂが前板４６Ｂに取り付けられる場合だけでなく、ガイド構造５６Ｂｂが直接前板４６Ｂに取り付けられるものであってもよい。
【０１１５】
上述のように、ガイド構造５６Ｂｂは、グリル５６Ｂに形成され、グリル５６Ｂの開口部５６ａが形成されなかった部分で構成されている。そのため、ガイド構造５６Ｂｂの成形が、グリル５６Ｂの成形と同時に行なえるものとなっている。その結果、ガイド構造５６Ｂｂを形成するための専用の工程を付加しなくてもよく、ガイド構造５６Ｂｂを有する室外機３０Ｂを安価に提供できる。
【０１１６】
（６−４）
図２０に示されているように、加湿ユニット６０Ｂも加湿ユニット６０と同様に、室外ファン３９Ｂの上方に吸湿用ダクト６８が配置されている。加湿ユニット６０Ｂの吸湿用ダクト６８も加湿ユニット６０の吸湿用ダクト６８と同様に、その上端と下端の中間を通る線を結ぶと下方に向けて湾曲している。そのため、経路ｒ１を通って下方から上がってくる外気を吸湿用ダクト６８が吸気し易くなっており、吸湿部６１へ供給される外気が増えて加湿性能が向上する。
【０１１７】
（６−５）
図２２及び図２３に示されているリブ５６ｒは、ガイド構造５６Ｂｂと前板４６Ｂとの間に配置されてガイド構造５６Ｂｂと前板４６Ｂに挟まれた空間を仕切る仕切部材である。リブ５６ｒが設けられることによって吹出口４４から吸気口６８ａに導かれる空気の流れは、前板４６Ｂとガイド構造５６Ｂｂとリブ５６ｒとで三方を囲むチャネルの中を通過する。リブ５６ｒ（仕切部材）を設けることによって形成されるチャネルにより空気の流れが囲まれるので、この通路から外れて吸気口６８ａに到達しない空気の流れが抑制されるので、効率良く吸気口６８ａに空気を送り込むことができる。なお、仕切部材は、不要な方向への空気の流れを抑制するためには、例えば前板４６Ｂに接触して隙間なく空間を仕切れる方が好ましいが、必ずしも前板４６Ｂに接触している必要はない。
【０１１８】
しかも、リブ５６ｒは、室外ファン３９Ｂの回転方向に延びていることから、室外ファン３９Ｂから吹出して室外ファン３９Ｂの回転方向に旋回する空気の流れを吸気口６８ａにスムーズに導くことができる。その結果、吸気口６８ａへ導く空気の流れに対してリブ５６ｒにより生じる圧力を小さくすることができる。
【０１１９】
（７）変形例
（７−１）
上記第３実施形態では、図１７に示されているように、１台の室内機２０に１台の室外機３０Ｂが接続されているペア型の空気調和装置１０について説明したが、本発明が適用できる空気調和装置のタイプはペア型には限られない。例えば、１台の室外機に複数台の室内機が接続されているマルチ型の空気調和装置にも本発明を適用することができる。
【０１２０】
（７−２）
上記第３実施形態では、室外機３０Ｂのケーシング４０Ｂ内が、送風機室４１Ｂと機械室４２Ｂの２つに分割されている場合について説明したが、内部に送風機室４１Ｂが設けられているケーシング４０Ｂであれば本発明の室外機を構成することができ、送風機室４１Ｂと機械室４２以外に仕切られた空間が形成されていてもよく、例えば機械室４２が他の機能も含む他の室として設けられていてもよい。
【０１２１】
（７−３）
上記第３実施形態では、室外熱交換器３３が上面視Ｌ字型の形状を呈するものについて説明したが、本発明の室外機を構成する室外熱交換器は上述の形状には限られない。例えば、上面視Ｉ字型の形状を持つ室外熱交換器で構成することもできる。
【０１２２】
（７−４）
加湿ユニット６０Ｂについても、図５に示されている加湿ユニット６０と同様の排気用ダクト８０が設けられてもよい。
【０１２３】
（７−５）
上記第３実施形態では、室外ファン３９Ｂがプロペラ３９Ｂｂを持つものについて説明したが、プロペラ３９Ｂｂを持つものに限られない。プロペラ型以外のタイプの羽根を持つ室外ファンでも本発明の室外機を構成することができる。
【０１２４】
（７−６）
上記第３実施形態では、吸湿部６１に外気を導くための専用のファンやそのファンを駆動するためのモータを省いているが、従来よりも小型化された専用ファンや専用ファン用のモータを取り付けてもよい。そのような場合であっても、室外ファン３９Ｂによって吸湿部６１への送風が行われるため、吸湿部６１に外気を導くためだけの専用ファンや専用ファン用のモータを従来に比べて小型化できる分だけ従来よりも室外機をコンパクト化できる。
【０１２５】
（７−７）
上記第３実施形態では、仕切板４３Ｂによってターボファン７５Ｂと給気ダクト１８の間を仕切る場合について説明したが、上記第１実施形態又は第２実施形態で説明したように、他の場所を仕切ってもよい。
【０１２６】
（７−８）
上記第３実施形態のグリル５６Ｂは、図２２及び図２３に示されているように、リブ５６ｓがガイド構造５６Ｂｂの吹出口４４との重なり部分５６Ｂｂ２を除く部位にしか形成されていない。しかし、ガイド構造は、室外ファンの回転中心に近い端部近傍に吸気口から吹出口の方向に向かう空気の流れを妨げるバッフル部材を有していてもよい。例えば図２２に示されているグリル５６Ｂに代えて図２４に示されているグリル５６Ｃを用い、吸気口６８ａから吹出口４４の方向に向かう空気の流れを妨げるため、室外ファン３９Ｂの回転中心３９Ｂｂ１に近いガイド構造５６Ｃｂの端部５６Ｃｂ３に、リブ５６ｔをバッフル部材として形成してもよい。この場合には、リブ５６ｔで吸気口６８ａから吹出口４４の方向に向かう空気の流れを抑制することができるので、グリル５６Ｂに比べて吸気口６８ａに導かれる空気の量が増加する。なお、グリル５６Ｃは、リブ５６ｓの構造を除いてグリル５６Ｂと同様の構造を有する。また、バッフル部材は、リブ５６ｔのようなリブ構造に限られるものではなく、プラスチックフィルムやスポンジなどの他の部材で構成することもできるが、リブ５６ｔのようにグリル５６Ｂと一体成形できる構造が好ましい。
【０１２７】
（７−９）
上記第３実施形態のグリル５６Ｃは、図２４に示されているように、ガイド構造５６Ｃｂの内面が平坦に成形されている。しかし、ガイド構造と前板との間に配置されかつ吹出口から吸気口に向かって滑らかに延びる整流部材が設けられてもよい。例えば図２２に示されているグリル５６Ｂに代えて図２５及び図２６に示されているグリル５６Ｄを用い、ガイド構造５６Ｄｂの内面、つまりガイド構造５６Ｄｂと前板５６Ｂとの間に配置されかつ吹出口４４から吸気口６８ａに向かって滑らかに延びるリブ５６ｕを整流部材として設けてもよい。このような構造にすれば、リブ５６ｕに沿って吸気口６８ａに向かって空気が流れるため空気の流れが整えられ、吸気口６８ａに向かう空気の流れに起因して生じる音を低く抑えることができる。なお、グリル５６Ｄは、リブ５６ｓ及びリブ５６ｕの構造を除いてグリル５６Ｂと同様の構造を有する。また、整流部材は、リブ５６ｕのようなリブ構造に限られるものではないが、リブ５６ｕのようにグリル５６Ｂと一体成形できる構造が好ましい。
【符号の説明】
【０１２８】
１０  空気調和装置
２０  室内機
３０，３０Ｂ  室外機
３３  室外熱交換器
３９，３９Ｂ  室外ファン
４０，４０Ｂ  ケーシング
４１，４１Ｂ  送風機室
５６，５６Ａ，５６Ｂ，５６Ｃ，５６Ｄ  グリル
６０，６０Ｂ  加湿ユニット
６３  加湿ロータ
６８  吸湿用ダクト
７３  加湿用ダクト
７５，７５Ｂ  ターボファン
【先行技術文献】
【特許文献】
【０１２９】
【特許文献１】特開２００４−３５３８９８号公報
【特許文献２】特開２００８−２４１２１２号公報
【図１】
0005234205.tif 000002
【図２】
0005234205.tif 000003
【図３】
0005234205.tif 000004
【図４】
0005234205.tif 000005
【図５】
0005234205.tif 000006
【図６】
0005234205.tif 000007
【図７】
0005234205.tif 000008
【図８】
0005234205.tif 000009
【図９】
0005234205.tif 000010
【図１０】
0005234205.tif 000011
【図１１】
0005234205.tif 000012
【図１２】
0005234205.tif 000013
【図１３】
0005234205.tif 000014
【図１４】
0005234205.tif 000015
【図１５】
0005234205.tif 000016
【図１６】
0005234205.tif 000017
【図１７】
0005234205.tif 000018
【図１８】
0005234205.tif 000019
【図１９】
0005234205.tif 000020
【図２０】
0005234205.tif 000021
【図２１】
0005234205.tif 000022
【図２２】
0005234205.tif 000023
【図２３】
0005234205.tif 000024
【図２４】
0005234205.tif 000025
【図２５】
0005234205.tif 000026
【図２６】
0005234205.tif 000027